(57)【要約】【課題】  耐用年数が長く保守なしで長期にわたって良好な外観を保つことができ、しかも、施工が容易なエクステリアデッキ構造を提供する。【解決手段】  上面を踏み面とする同じ高さ寸法の複数個のコンクリート系ボックス体３ａ，３ｂ，３ｂ，３ａが隣り合うように並べられて設置され、これらボックス体３ａ，３ｂ，３ｂ，３ａの上面でデッキ１の床面１ａが形成されている。各コンクリート系ボックス体３ａ，３ｂ，３ｂ，３ａの高さ寸法は例えば４５０ｍｍである。また、デッキ１の縁には、腰高寸法のフェンス４が取り付けられている。【選択図】      図１
2005076226.tif 000002
【特許請求の範囲】
【請求項１】
上面を踏み面とする同じ高さ寸法の複数個のコンクリート系ボックス体が隣り合うように並べられて設置され、これらボックス体の上面でデッキの床面が形成されていることを特徴とするエクステリアデッキ構造。
【請求項２】
前記各コンクリート系ボックス体の高さ寸法が２５０〜７００ｍｍの範囲のものからなる請求項１に記載のエクステリアデッキ構造。
【請求項３】
縁部に腰高寸法のフェンスが取り付けられている請求項１又は２に記載のエクステリアデッキ構造。
【発明の詳細な説明】
【技術分野】
【０００１】
本発明は、エクステリアデッキ構造に関する。
【背景技術】
【０００２】
住宅等の敷地を利用してつくられるエクステリアデッキ構造として、従来より、ウッドデッキや、湿式工法によるコンクリートデッキなどが提供されている。
【発明の開示】
【発明が解決しようとする課題】
【０００３】
しかしながら、ウッドデッキは、耐用年数が短く、外観上も経年的に劣化しやすく、また、そうならないように適時に保守を行っていかなければならず、維持管理に手間を要するという問題がある。
【０００４】
また、湿式工法によるコンクリート系デッキは、ウッドデッキの場合のような問題はないが、施工が厄介で工期が長く、コストも高くつくという問題があった。
【０００５】
本発明は、上記のような従来の問題点に鑑み、耐用年数が長く保守なしで長期にわたって良好な外観を保つことができ、しかも、施工が容易なエクステリアデッキ構造を提供することを課題とする。
【課題を解決するための手段】
【０００６】
上記の課題は、上面を踏み面とする同じ高さ寸法の複数個のコンクリート系ボックス体が隣り合うように並べられて設置され、これらボックス体の上面でデッキの床面が形成されていることを特徴とするエクステリアデッキ構造によって解決される。
【０００７】
このデッキ構造では、デッキを構成する各ボックス体がコンクリート系のものからなっているので、耐用年数が長く保守なしで長期にわたって良好な外観を保つことができる。
【０００８】
しかも、コンクリート系ボックス体を設置していくことでデッキが形成されるものであるので、施工を乾式工法により短工期で行っていくことができ、コンクリート系デッキを低コストで実現することができる。
【０００９】
加えて、デッキが複数個のコンクリート系ボックス体の組み合わせで構成されているので、床面積や平面形状の異なる各種のデッキを、ボックス体を単位とし、その使用個数を決めることによって容易に形成していくことができる。
【００１０】
上記の各コンクリート系ボックス体の高さ寸法は、例えば、２５０〜７００ｍｍの範囲、好ましくは、３５０〜５５０ｍｍの範囲において設定されるのが一般的である。この範囲を超えて大きいと、ボックス体のサイズも大きくなりすぎ運搬や施工に支障をきたす傾向を生じやすくなり、また、この範囲を下回って小さいと、ボックス体のサイズも小さくなり、ボックス体の使用個数も無用に多くなって施工がかえって厄介なものになる傾向を生じやすくなる。本発明のデッキ構造をリビングに隣接して設けるような場合は、リビングの床面との間の段差をなくしてあるいは段差を小さくしてリビングとデッキとの行き来を楽に行うことができる程度の高さ寸法に設定するとよい。
【００１１】
上記の縁部に腰高寸法のフェンスが取り付けられている場合は、フェンスでデッキからの転落を防ぐことができると共に、フェンスが腰高寸法であるにもかかわらず、ボックス体の高さ寸法分を利用して布団などの長物を干すことが可能となる。
【発明の効果】
【００１２】
本発明は、以上のとおりのものであるから、耐用年数が長く保守なしで長期にわたって良好な外観を保つことができ、しかも、施工を乾式で容易に行うことができる。加えて、床面積や平面形状の異なる各種のデッキを、ボックス体を単位とし、その使用個数を決めることによって容易に形成していくことができる。
【発明を実施するための最良の形態】
【００１３】
次に、本発明の実施最良形態を図面に基づいて説明する。
【００１４】
図１及び図２に示す実施形態のエクステリアデッキ１は、住宅用建物の１階リビングの掃き出し窓２に沿うように設けられたもので、上面を踏み面とする同じ高さ寸法の４つのコンクリート系ボックス体３ａ，３ｂ，３ｂ，３ａが隣り合うように一列に並べられて置き式で設置され、連結金具で一体化され、これらボックス体３ａ，３ｂ，３ｂ，３ａの上面でデッキ１の床面１ａが形成されている。なお、７は建物の基礎、８は外壁部分である。
【００１５】
各コンクリート系ボックス体３ａ，３ｂ，３ｂ，３ａは、ガラス繊維強化コンクリート（ＧＲＣ）からなっており、内部は中空で、下面部は開放されている。また、両サイドのボックス体３ａ，３ａは、外方に面する側面部が閉じられているが、ボックス体と隣接する側の側面部は開放されている。また、両サイドをボックス体で挟まれる中間のボックス体３ｂ，３ｂについては、その両側面部が開放されている。なお、ボックス体と隣接する側の側面部や下面部を閉じた構造のボックス体が用いられてもよいことはいうまでもない。
【００１６】
また、各ボックス体３ａ，３ｂ，３ｂ，３ａは同じサイズに設計されており、それらの高さ寸法は、リビングの床面との間の段差をなくしあるいは段差を小さくしてリビングとデッキ１との行き来を楽に行うことができる程度の例えば４５０ｍｍに設計されている。また、前後方向の寸法は例えば１０００ｍｍに設計され、左右方向の寸法は例えば８００ｍｍあるいは９４０ｍｍなどに設計されている。
【００１７】
なお、ボックス体３ａ，３ｂ，３ｂ，３ａを地面に設置する場合に、地面がボックス体の重量に耐えられないような場合は、例えば、複数本の長尺アングル材を用い、これらアングル材を所定の間隔をおいて平行にし、各アングル材の一方の辺を地面に差し込み状態にしてもう一方の辺を地面に沿わせるように設置し、その上にボックス体３ａ，３ｂ，３ｂ，３ａを設置するようにすることによって、ボックス体３ａ，３ｂ，３ｂ，３ａをきれいに揃えて設置していくことができる。もちろん、その他の方法で設置してもよいし、また、下がボックス体の重量に耐えうるコンクリート面などであるような場合にはそのような施工を省略することもできる。
【００１８】
そして、これらボックス体３ａ，３ｂ，３ｂ，３ａで形成されたデッキ１の屋外側の縁部には、腰高寸法、例えば９００〜１２００ｍｍの範囲の高さ寸法のフェンス４が、３つのボックス体３ａ，３ｂ，３ｂにわたすように備えられ、残る最側部のボックス体３ａには、屋外とデッキ１との行き来を容易にするステップ５が隣接するようにして設置されている。ステップ５の高さ寸法は、例えば２２０ｍｍなどに設計されている。
【００１９】
上記のデッキ構造では、デッキ１を構成する各ボックス体３ａ，３ｂ，３ｂ，３ａがコンクリート系のものからなっているので、耐用年数が長く保守なしで長期にわたって良好な外観を保つことができる。特に本実施形態では、各ボックス体３ａ，３ｂ，３ｂ，３ａがガラス繊維強化コンクリートからなって内部は中空に成形されているので、上記のようなサイズであっても運搬や施工を容易に行うことができると共に、その重量によって設置状態を安定したものにすることができ、更に、強度的にしっかりとしたデッキ１を形成することができる。
【００２０】
しかも、コンクリート系ボックス体３ａ，３ｂ，３ｂ，３ａを置き式で設置していくことでデッキ１を形成していくものであるから、施工を乾式工法により短工期で行っていくことができ、湿式工法の場合に比べて、コンクリート系デッキを低コストで実現することができる。
【００２１】
また、本実施形態では、デッキ１の屋外側の縁にフェンス４が設置されているので、デッキ１からの転落をフェンス４で防ぐことができると共に、図２に示すように、フェンス４が腰高寸法であるにもかかわらず、ボックス体３ａ，３ｂ，３ｂ，３ａの高さ寸法分を利用して布団６などの長物を干すことが可能となる。
【００２２】
以上に、本発明の実施形態を示したが、本発明はこれに限られるものではなく、発明思想を逸脱しない範囲で各種の変更が可能である。例えば、上記の実施形態では、４つのボックス体を一列並列状態に設置してデッキ１を形成した場合を示しているが、本発明のデッキ構造は、複数個のコンクリート系ボックス体の組み合わせでデッキを構成するものであるので、床面積や平面形状の異なる各種のデッキを、ボックス体を単位とし、その使用個数を決めることによって容易に形成していくことができものであり、従って、使用するボックス体の個数は上記の実施形態の場合よりも多くて少なくてもよいし、一列ではなく複数列状態に設置されたものであってもよいし、複数のブロック体の組み合わせで方形以外の平面形態となるように設置したものであってもよい。また、上記の実施形態では、デッキをリビングの掃き出し窓に隣接してつくった場合を示しているが、建物から離れた敷地部分につくるようにしてもよい。
【図面の簡単な説明】
【００２３】
【図１】実施形態のエクステリアデッキ構造を示す斜視図である。
【図２】使用方法の一例を示す側面図である。
【符号の説明】
【００２４】
１…エクステリアデッキ
１ａ…床面
３ａ，３ｂ…コンクリート系ボックス体
４…フェンス
【図１】
2005076226.tif 000003
【図２】
2005076226.tif 000004